(57)【要約】【課題】作成コストが安く、且つ作成が容易で、ランニングコストが低廉で済み、しかも効果的な爆発音を発生する鳥獣への威嚇音発生具を得ることを目的とした。【解決手段】鳥獣に対する威嚇音発生具において、水分解ガスを充填したペットボトルのボトルと、前記ボトルに嵌合するキャップと、前記ボトル内に配置する点火手段と、一端が前記キャップの上側から下側へ該キャップを貫通して垂下する一対の導線の夫々と、前記点火手段の両端に夫々連結して該点火手段をボトル内口部に吊下し、他端は電源の各極に夫々接続される導線と、前記ボトルを収納又は取り出し自在にした開閉扉を備えた金網製の保護ケージとからなることを特徴とする鳥獣に対する威嚇音発生具で前記課題を解決した。【選択図】図１
2008212127.tif 000002
【特許請求の範囲】
【請求項１】
鳥獣に対する威嚇音発生具において、
水分解ガスを充填したペットボトルのボトルと、
前記ボトルに嵌合するキャップと、
前記ボトル内に配置する点火手段と、
一端が前記キャップの上側から下側へ該キャップを貫通して垂下する一対の導線の夫々と、前記点火手段の両端に夫々連結して該点火手段をボトル内口部に吊下し、他端は電源の各極に夫々接続される導線と、
前記ボトルを収納又は取り出し自在にした開閉扉を備えた金網製の保護ケージと
からなることを特徴とする鳥獣に対する威嚇音発生具。
【請求項２】
点火手段が線径を前記導線より細くした銅線で、且つ線径を０．１ｍｍから０．３ｍｍとし２回以上の巻きコイル状の構造を持つと共に前記ボトル内口部に導線の一端により吊下した点火コイルとしたことを特徴とする請求項１記載の鳥獣に対する威嚇音発生具。
【請求項３】
点火手段がガソリンエンジン用の点火プラグ又は線径０．３から０．５ｍｍのニクロム線とすると共に、２回以上の巻きコイル状の構造を持つことを特徴とする請求項１記載の鳥獣に対する威嚇音発生具。
【請求項４】
印加電圧を１２Ｖとしたことを特徴とする請求項１記載の鳥獣に対する威嚇音発生具。
【発明の詳細な説明】
【技術分野】
【０００１】  この発明は、鳥獣に対する威嚇のために使用する威嚇音発生具に関する。さらに詳しくは、爆竹が爆発した場合と同様な爆発音で、鳥獣を驚かせて威嚇する手段で、鳥獣の侵入を阻止し又は侵入したものを逃散・撃退することを目的とする威嚇音発生具に関する。
【背景技術】
【０００２】  近年、頻発する鳥獣の被害から、農作物等及び人の安全及び生命を守ることを目的として、従来から鳥獣を威嚇して、侵入を防止したり、また、侵入した鳥獣を退散させる方法につき種々な提案がなされて来た。【０００３】  大別すると、鉄砲の発射音、大音声による威嚇、光による威嚇、忌避臭の発散、天敵に似せた模型、人形に似せた案山子等、古来から種々の手段が採られて来た。
また、近時、大きな目玉を表したものや、プロパンガスを使った爆発装置を置き、タイマーによる制御によって、適当間隔で爆発音を発するものが実用化されている。さらに、電子機器による制御を採用した複雑な機構のものも見受けられる。
従って、これらの機器の内、大型及び複雑且つ高度のものは、高価な装置となり、ランニングコストが高くなるのは避けられない。
【発明の開示】
【発明が解決しようとする課題】
【０００４】  近年、国土の開発が進み、未開発地域においても居住地の拡大、耕作地の拡大等が行われて来た結果、鳥獣の棲息範囲が狭められ或いは、山の荒廃等により鳥獣の餌不足による棲息場所の移動、保護による鳥獣の個体数の増加による棲息圏の変更・拡大といった状況も見られる。【０００５】  これにより、人の居住・生活圏と鳥獣の棲息圏とが接近又は交錯して、鳥獣との遭遇機会が増えてきた傾向も一部には見られる。その結果、鳥獣による人の生活侵害（例えば、農作物荒らし、人の受傷等）が多発する状況が生じている。【０００６】  そこで、農業、林業、漁業及び日常生活において、前記の鳥獣による被害防止の目的で、種々の手段が提案されている。然し乍ら、現実に鳥獣からの被害を完全に防止することは、依然として、難しい問題であり続けている。
そこで、これらの問題を仔細に観察すると、ある意味で鳥獣と人間との知恵比べの様相を呈して来ている。
また、これ等の手段の内、規則的な音や動きに止まるものを、繰り返し実施すると、特に知能の高い鳥獣側に慣れが生じて、効果が薄れて仕舞う欠点を有している。【０００７】  これ等の内でも、花火及び爆竹による爆発音は、猟銃の発射音に通じるものがあり、他の威嚇手段に比し、慣れにくい性質を有していると思われる。そこで、火薬を使用し、爆竹様の爆発音を発する威嚇手段が多数提案され、且つ実用に供されている。【０００８】  例えば、打ち揚げ花火の害鳥駆除装置が提案されている（特許文献１、第１頁参照）
また、火縄を使用して爆竹を一定の時間的間隔を置き、継続的に爆発させる鳥獣威嚇装置も提案されている（特許文献２、第１頁参照）
【特許文献１】  実開昭５７−４１０８５
【特許文献２】  特開２００５−２６１２５３
【０００９】  これ等の手段は花火又は爆竹を用いたものであり、何れにしても火薬を使用したものである。花火及び爆竹等は、威嚇的な大きな音を発するので、他の鳥獣の威嚇手段と比較して慣れにくいと言う利点があり、威嚇効果としては十分なものである。【００１０】  然し乍ら、火薬を使用するものは、コストが掛かり、一定の効果を得るには、花火を多数個を使用する必要があり、結果的に高価なものとなる。また、長期間に亘り威嚇行為の継続を必要とする場合、多量の火薬製品を準備し、貯蔵する必要があり、前記コスト問題の他、保管中の花火の爆発事故等安全上の問題が生ずる。【００１１】  また、前記の他、カーバイトによるアセチレンガスを使用した爆発音発生器も多く利用されているが、カーバイトの購入、保管、取扱いに手間がかかり、且つ悪臭を伴い、その装置も大掛かりなものとなっている。その運用コストも安くはない。【００１２】  そこで、花火及び爆竹と同様な大きな威嚇音を発し、且つ簡易に製造でき、また安全上の問題が無く、しかもコストの安い鳥獣の威嚇手段が求められおり、これがこの発明の解決すべき課題である。
【課題を解決するための手段】
【００１３】  この発明は、高価な火薬を使用しないで、火薬の爆竹音に優るとも劣らない爆発音を発生する、鳥獣への威嚇音発生具の提供を目的とした。
発明者は、研究の結果、水の電気分解で得られる水分解ガスを飲料等で使用されているペットボトルに封入し、これを点火爆発させると、想定を越える（予想外の）大音響を伴う爆発が起こることを見出し、この発明を完成した。【００１４】  この構成のものが、大きな爆発音を伴う結果が得られるその原因は、水分解ガスの水素２：酸素１の割合の混合ガスに起因するのか、或いは、水分解ガスと、該ガスを封入したペットボトルとの組合わせが、係る顕著な効果を奏しているものか、その原因は詳らかでない。
従って、ペットボトルの容器の材質が、引張りに対して極めて強く、この容器の強度又は、その形状の好適正に起因し、或いはこれ等が相乗的効果を発揮し、爆発のプロセス又はメカニズムに変化が生じ、爆発音ないしは爆発力を強める効果を奏しているのではないかと推測される。【００１５】  この発明は、市販の飲料等に使用されているペットボトルを利用して、これを容器にして水分解ガスを充填し、該ガスに電気的手段により点火し、充填されたガスを一気に燃焼爆発させ、この爆発音で鳥獣を威嚇し、侵入を予防し、退散させ、鳥獣による被害防止をするものである。
この発明の威嚇音発生具は、極めて簡便な構成に拘らず、大きな爆発音を発すると言う際立った特徴を有するから、威嚇目的に適した優れた効果を伴うものである。【００１６】  即ち、鳥獣に対する威嚇音発生具において、水分解ガスを充填したペットボトルのボトルと、前記ボトルに嵌合するキャップと、前記ボトル内に配置する点火手段と、一端が前記キャップの上側から下側へ該キャップを貫通して垂下する一対の導線の夫々と、前記点火手段の両端に夫々連結して該点火手段をボトル内口部に吊下し、他端は電源の各極に夫々接続される導線と、前記ボトルを収納又は取り出し自在にした開閉扉を備えた金網製の保護ケージとからなることを特徴とする鳥獣に対する威嚇音発生具であり、点火手段が線径を前記導線より細くした銅線で、且つ線径を０．１ｍｍから０．３ｍｍとし２回以上の巻きコイル状の構造を持つと共に前記ボトル内口部に導線の一端により吊下した点火コイルとしたことを特徴とする請求項１記載の鳥獣に対する威嚇音発生具である。また、点火手段がガソリンエンジン用の点火プラグ又は線径０．３から０．５ｍｍのニクロム線とすると共に、２回以上の巻きコイル状の構造を持つことを特徴とする請求項１記載の鳥獣に対する威嚇音発生具であり、印加電圧を１２Ｖとしたことを特徴とする請求項１記載の鳥獣に対する威嚇音発生具である。
【発明の効果】
【００１７】  この発明によれば、身近で入手し易い材料で、且つ、安価に爆竹同様な大きな爆発音を伴う鳥獣への威嚇音発生具が得られる。この発明の威嚇音発生具は、鳥獣に対し威嚇音を発生させ、鳥獣の侵入を阻止し、又は侵入したものを退散させることを目的とするから、鳥獣を捕獲又は殺傷することがなく、動物の愛護及び保護を目的とする法令等に抵触するおそれがない。【００１８】  威嚇音発生具の容器に、市販の使用済みのペットボトルを利用でき、且つ、充填し爆発させるガスに安価で、且つ安全・容易に生産できる水分解ガスを使用するから、火薬を使用する爆竹に比較して、コストが極めて安く済む。また充填するガスは、簡単な装置で、手軽に製造することができる利点がある。
また、この発明の威嚇音発生具は、大仕掛けな装置を必要とせず、小さなボトルであるから設置場所を選ばず、如何なる場所であっても、使用できる効果がある。
例えば、木の枝にぶら下げた状態であっても使用でき、正常な効果が期待できる。【００１９】  他の鳥獣の威嚇手段に比べて、慣れの生じにくい爆竹音と同じ性質の爆発音が得られるから、慣れ防止の見地からも好ましい。また、点火用に使用する１２Ｖの電池は自動車のものを利用でき、また、必要があれば、電池を帯同して、電気の来ていない山中、原野、その他の場所であっても支障なくこの発明の威嚇音発生具は使用できる。【００２０】  また、爆発に際し、保護ケージを使用し、爆発によるボトルの破片の飛散を防止する。
自然分解しない合成樹脂の破片を周囲に撒き散らし、環境の汚染を防止すると共に、この発明の使用者の安全確保ができる。また、容器は合成樹脂製のボトルと、合成樹脂製のキャップであるから、保管中に発火等による爆発事故が発生しないから、極めて安全である。【００２１】  この威嚇音発生具は、簡単な構成で大きな爆発音を発する優れた特徴を有し、爆発音の大きさに比し、爆発に伴う破壊力が小さく、安全であり且つ、極めて好ましい爆竹音に近似した性質の爆発音を伴う鳥獣への威嚇音発生具が得られた。
【発明を実施するための最良形態】
【００２２】  この発明の威嚇音発生具１の構造及びその製造方法について図１から図４に基づき、説明する。
この発明の威嚇音発生具１は、ボトル３及びキャップ２（飲料用のペットボトルを使用）、ボトル３に充填した水分解ガス、キャップ２に装着した点火コイル４、電源とこれ等を連結する導線及び保護ケージ１４から構成される。
【００２３】  ボトル３は、飲料等で使用・販売されているペットボトルを、ガスの充填容器として転用する。市販のペットボトルの容量は、２リットル、１リットル、５００ミリリットル、２５０ミリリットル、２００ミリリットル等があり、何れも利用できるが、鳥獣の威嚇を目的とする場合、２リットル又は１リットルの容量のものが好ましい。通常の場合は、２リットルの容量のもので、必要にして且つ、十分である。ペット製ボトルであれば、何れの社製のものであっても、支障なく使用ができる。
【００２４】  容量の少ないものは、これを爆発させた際、爆発音が小さく、２リットルを越えるものは、爆発音及び爆発の破壊力が大きくなり過ぎて安全上の問題が生じ、また、周囲を驚愕させるおそれがあるから、適当でなく、大容量のものを使用する場合は、民家付近での使用は避けるのが賢明である。
【００２５】  爆発音を得るための爆発燃料には、水分解ガスを使用する。この水分解ガスは、水を電気分解すると、水素と酸素との混合ガスとして得られる。水分解ガスは、公知の水の電気分解方法により簡単に得られ、いわゆる爆鳴気と呼ばれているものである。ボトル３に封入するガスには、ガス圧を掛けない状態で、ガスを採取した状態のまま、ボトル３に充填しキャップ２で封止する。
【００２６】  ガスの採取及び充填・封入は、ガス発生装置９で発生させた水分解ガスを、水を満たした水槽に、水を入れたボトル３を倒立させて置き、この口部にガスの送気パイプ１０の吐出口を挿入した配置にすれば、ボトル３の中の水を、ガス１３がボトルの外に押し出し、水とガス１３とが置換されるから、容易に採取・充填できる（図３参照）。
【００２７】  水が全部ガス１３によって押し出され、ボトル３内の水とガスとの置換が終了した時点で、キャップ３をしてガス１３を封止し、そのままの状態でボトル３を取り出す。
この封入したガスを、ボトル３内に装着した点火コイル４を、通電し点火温度まで発熱させ、封入されたガスに点火する。
【００２８】  水分解ガスは、水の電気分解で極めて安価に且つ、容易に製造できる。
水の電気分解であるから、電力、電解水に混合する電解質、電気分解により損耗する電極を用意すれば、連続的に生産できる。
【００２９】  点火コイル４は、細い銅線をコイル状（螺旋状）に、所定回数巻いたものを使用する。
この点火コイル４を、前記キャップ２の天頂部を上側から下側へ陽極及び陰極の一対の導線５、５ａを貫通垂下して、前記点火コイル４の両端に夫々連結し、該点火コイルを２本の導線で、ボトル３内の口部に吊下した状態にする。
この場合、キャップ２の天頂部に左右対称に２本の導線の保護筒６、６ａを植設しても良い。
【００３０】また、点火コイル４は、ボトル３の胴部に適宜の大きさの孔７を空け、点火コイル４を取り付け、前記孔７を全面的に塞ぐ大きさで点火コイル４を装着した合成樹脂板８で、封鎖して点火コイル４を横向きに取り付けることもできる。
【００３１】  要すれば、威嚇音発生具の製造工程において、点火コイル４の取り付け作業の難易は別として、ボトル３のどの位置であっても容器に充填したガスと接触する容器内であれば、点火コイル４で点火可能であるから、格別支障はない。
【００３２】  印加電圧は、１２Ｖのバッテリーを使用する。点火用の１２Ｖのバッテリー（図示していない）は、自動車に使用されているものである。操作者は、自動車のバテリーを利用するか又はこれを利用できない場合には、このバッテリーを帯同すれば、電気の来ていない原野、山中であっても、この発明の威嚇音発生具１を使用することができる。
【００３３】  １２Ｖの電源で、スイッチを入れ通電すると、細い銅線の点火コイル４に過電流が流れて、当該点火コイル４が発熱し、ガスの点火温度まで上昇し、ガスに点火され、ガスが一気に燃焼爆発する。このため、点火コイル４の線径を、導線の線径より小さくする必要があり、この条件が満たされない場合、点火コイル４に過電流が流れ、温度が点火温度まで上昇する現象が生じないからガスに点火できない。
【００３４】  点火コイル４は、１２Ｖの印加電圧で点火温度に到達させる為には、点火コイル４の線の線径が０．１ｍｍ〜０．３ｍｍであることが必要である。
【００３５】  点火コイル４のコイル線径が、０．３ｍｍを越える太さの場合、うまく点火温度まで上昇しなかったり、点火温度への到達に時間が掛るから好ましくない。
また、０．１ｍｍを下回るものは、焼切れ易く、繰り返し使用ができなくなるおそれがあるので、好ましくない。
この場合、点火コイル４を発熱させて素早く点火するために、点火コイル４の巻き数は２回以上にすることが必要である。これにより、点火コイル４は速やかに点火温度に上昇する。
【００３６】  また、爆発により、点火コイル４及び導線５、５ａが焼け切れたり、破壊されたりしないから、この点火コイル４を繰り返し使用することができる。従って、点火コイル４を装着したキャップ２を予め、後記の保護ケージ１４の天井部分に導線５、５ａ々共に、固定して配置して置き、これが損壊されるまで繰り返し使用することができる。
前記導線５、５ａは爆発により容易に破損されないように、導線は、家電製品に一般的に使用されているいわゆる標準的な電気コードを使用する。
【００３７】  爆発した場合、ボトル３の内で、肉厚が一番薄く弱い箇所（ボトル３の首部から下の部分）がガス爆発による急激な膨張圧で破裂、破壊されるから、肉厚であるキャップ２は、破壊されることはない。
前記の点火コイル４に代えて、小型エンジン用の点火プラグ（高電圧で発火し火花が散る）を使用して、点火する手段を採ることもできる。
また、点火コイル４に線径０．３ｍｍから０．５ｍｍ程度のニクロム線を使用してもよい。
前記ニクロム線が線径０．３ｍｍに満たないものは、焼切れるから望ましくない。また、線径が０．５ミリを超えるものは、点火温度までの到達に時間がかかるから、好ましくない。
【００３８】  前記の小型ガソリンエンジン用の点火プラグを使用した場合及び細いニクロム線を使用した場合、爆発により前記点火プラグ及び前記ニクロム線が損壊されないから、繰り返し使用できることは言うまでもない。
【００３９】  爆発によるボトル３の破片の飛散防止のため及び飛散した破片による人体等の被害を避けるために、網目３ｍｍ以下の細かな金網製の保護ゲージ１４を使用する。これにより飛散を防止し、且つ安全を確保する。
保護ケージ１４は、網目の細かな金網を用い威嚇音発生具１を収納できる大きさの、六面体に構成し、何れかの一面を威嚇音発生具１の収納の為に、片開きの開閉扉１５に構成して、他の面は溶接等で、接着固定する。開閉扉１５には閉鎖後、固定できる留め金等を設けて置く。
【００４０】  また、保護ケージ１４の形状は、金網を円筒形に形成して、円筒上面を固定封鎖し、下面を開閉扉とした構造のものであっても差し支えない。
要は、破裂したボトル３の破片飛び出し防止ができるものであれば良いが、勢い良く噴出する爆風の通過を妨げるものであってはならず、金網状のものが好ましい。
【００４１】  保護ケージ１４は、爆発により破壊されたボトル３の破片の飛散を防止し且つ、人体の安全を確保することを目的とする。
【００４２】  この発明の威嚇音発生具１は、大きな爆発音がするが、その爆発音の割には爆発の破壊力自体は弱く、物品を損傷し又は人体を傷つけるような破壊力を有するものではない。
導線５、５ａの長さを、爆発場所から操作者の安全が確保できる適宜な距離を選択すれば、安全上の問題は、全くない。
【００４３】  因みに、２リットルのボトル３を使用した場合、前記の保護ゲージ１４を使用すれば、約１メートル離れた場所で、爆発させても、身体に対する危険は感じられなかった。
【００４４】  次に、この発明の威嚇音の発生具１の使用方法を説明する。
【００４５】  ボトル３には、水分解ガスを別途充填して置き、キャップ２で封止して置く。
【００４６】  ボトル３を、保護ケージ１４に収納し、キャップ２を外し、保護ケージ１４の天井部に固定されている点火コイル４を装着したキャップ２に螺合して付け替え、（ボトル３の胴部の方を回転させて点火コイル４を装着したキャップ２と螺合する。）
【００４７】  電源は、１２Ｖのバッテリー（図示していない）を使用して、操作者が安全を確保できる距離を置いた地点で、通電し、点火コイル４を発熱させ、ボトル３に充填された水分解ガスに点火すると、一気に燃焼爆発が起こり、大きな爆発音が発生する。
【００４８】  爆発後は、爆発により破壊されたボトル３の破片が、周囲に飛散しないで保護ケージ１４内に残るから、これを纏めて捨てればよい。因みに、爆発後のボトル３は、ボトル３の首から下の部分である胴部が大きく裂けて、バラバラの小片（約３ｃｍ）が僅かにケージの中に残った。
【００４９】  一定の時間の間隔をおいて、断続的に威嚇音を発生させる場合、別途、水分解ガスを充填し、点火コイル４を装着していない通常のキャップで、ガスを封入したボトル３を多数用意して置き、これを順次、前記の手順で操作して爆発させれば良い。
【００５０】  ガスを充填後保存して置くボトル３及びキャップは、全て合成樹脂製であるから、自然発火等で爆発事故が発生するおそれはない。
【００５１】  これを、鳥獣の出没の状況に応じて適宜の時間間隔で、繰り返し爆発させることにより鳥獣を威嚇して、侵入を阻止し又は侵入したものを逃散させた状況を維持でき、鳥獣の被害を効果的に防止できる。
【００５２】（試験例）
爆発音の大きはさを比較するため、爆発音の比較試験を行った。
測定者は、千葉県産業試験所である。
測定器は、機械精密騒音計である。２２３６型、積分型精密騒音計である（ブリュエル・ケア社製）。
【００５３】  比較のサンプルとして下記のものを使用した。
サンプル（１）は、爆竹は、一般に市販されている爆竹（中国製）。火花・煙と連続した爆発音を発するもの。
サンプル（２）は、いわゆるロケット花火である。空中に飛び出し、爆発し、落下傘が開いて落ちてくるもの（中国製）。試験では、錘をつけて、飛び出さないようにして、爆発音測定のため地上で爆発させた。
サンプル（３）は、この発明の実施例１記載の方法により作製した１リットルのペットボトルに水分解ガスを充填した威嚇音発生具。
サンプル（４）は、この発明の実施例１で得られた２リットルのペットボトルに水分解ガスを充填した威嚇音発生具。
サンプル（５）は、この発明の実施例１で得られた２リットルのペットボトルに水分解ガスを充填した威嚇音発生具。
【００５４】  測定条件
屋外でサンプル（１）〜（５）を点火爆発させ、爆発地点から、１メートル離れた場所に前記の騒音測定機を配置し、順次、サンプルを爆発させて、その爆発音を測定した。
【００５５】  試験結果
【表１】
2008212127.tif 000003
【００５６】  測定結果は、この発明の２リットルのペットボトルを使用したものが、１２９．６ｄＢ、１２９．７ｄＢで一番大きな音を発生することが認められた。
【実施例１】
【００５７】  この発明の実施例を図１〜４に基づき説明する。
２リットルの（ペット）ボトル３を使用した威嚇音発生具１の製造例を示す。
水分解ガスは〔図４〕記載の公知の方法より採取・充填した。水を満たしたボトル３を水中に倒立させて、ガス発生装置９の送気パイプ１０の一端をボトル３の口部に差し込めば、採取できる〔図４参照〕。【００５８】  前記により、水とガスが置換され、水分解ガスが充填されたボトル３を使用し、ガスは加圧していないものである。
点火コイル４は、線径０．３ｍｍの銅線を螺旋状に２回巻き、長さ１０ｍｍのものを用意し、一端がキャップ２の頂部の上側から下側へ垂直方向にキャップ２の頂部を貫通して配してある一対の導線５、５ａ（陽極、陰極）を、前記点火コイル４の両端に、夫々接続すし、ボトル３内の口部に吊下した状態にする。導線５、５ａの他端は電源に接続されるものである。
導線は、家電製品に一般的に使用されているいわゆる標準的な電気コードを使用した。
【実施例２】
【００５９】  実施例１で作成したこの威嚇音発生具１を、網目２ｍｍの金網製の保護ケージ１４内に収納し、爆発試験をした。
印加電圧は１２Ｖである。導線５、５ａは、家電製品に一般的に使用されているいわゆる標準的な電気コードを使用した。
電源は、自動車のバッテリーから採り、夫々の電極に接続して、保護ケージ１４から１．５ｍ離れた位置に立って通電した。【００６０】  通電すると、直ちにボトル３内のガスは点火爆発し、大きな爆発音が発生した。
爆発により破裂したボトル３の破片は飛散せず、全ての破片は保護ケージ１４内に残っていたので、安全であった。
【産業上の利用可能性】
【００６１】  この発明によれば、コストが安く且つ、簡易に作成できる鳥獣への威嚇音発生具が得られる。これをガス発生器とを組み合わせて販売できる。また、ボトルにガスを充填したものを別途、商品としての販売もできる。
【図面の簡単な説明】
【００６２】
【図１】（ａ）この発明の威嚇音発生具の断面略図。（ｂ）同じく、点火コイルの断面略図。
【図２】（ａ）同じく、点火コイルをボトル胴部に取り付けた威嚇音発生具の断面略図。（ｂ）同じく、点火コイルをボトル胴部に取り付けた点火コイルの一部拡大断面略図。
【図３】同じく、水分解ガスの採取方法を示す断面略図。
【図４】同じく、保護ケージの斜視図。
【符号の説明】
【００６３】１  威嚇音の発生具
２  キャップ
３  ボトル
４  点火コイル
５  導線
５ａ  導線
６  保護筒
６ａ  保護筒
７  孔
８  封鎖板
９  ガス発生装置
１０  送気パイプ
１１  水槽
１２  水
１３  水分解ガス
１４  保護ケージ
１５  金網
１６  開閉扉
【図１】
2008212127.tif 000004
【図２】
2008212127.tif 000005
【図３】
2008212127.tif 000006
【図４】
2008212127.tif 000007